(57)【要約】【課題】水袋が鍔板部材に接合された従来の花卉用箱は、鍔板部材に水袋を接合するための樹脂接合設備が必要であり、花卉用箱の製造コストが嵩んでしまう。【解決手段】組み立て状態において直方体形状をなし、切り花Ｗが立てた状態で収容される本発明の花卉用箱１０は、この花卉用箱１０の下部に当該花卉用箱１０の底面部２５と平行に配されるように、該花卉用箱１０の隣接する少なくとも２つの側面部２１Ｄ，２３Ｌの内側に接合され、中央部に切り花Ｗの茎部Ｗｓが挿通される開口部３１を形成した袋取り付け部材３０を具え、この袋取り付け部材３０は、その開口部３１を間に挟んで対向し、かつ切り花Ｗの茎部Ｗｓの根元部分を収容する液不透過性の樹脂袋Ｂの袋開口部Ｂｏに形成された一対の取手部Ｂｈを取り外し可能に連結するための一対の第１袋連結部３３を有する。【選択図】図１
2018188173.tif 000002
【特許請求の範囲】
【請求項１】
組み立て状態において直方体形状をなし、切り花が立てた状態で収容される花卉用箱であって、
この花卉用箱の下部に当該花卉用箱の底面部と平行に配されるように、該花卉用箱の隣接する少なくとも２つの側面部の内側に接合され、中央部に前記切り花の茎部が挿通される開口部を形成した袋取り付け部材を具え、
この袋取り付け部材は、その開口部を間に挟んで対向し、かつ前記切り花の茎部の根元部分を収容する液不透過性の樹脂袋の袋開口部に形成された一対の取手部を取り外し可能に連結するための一対の第１袋連結部を有することを特徴とする花卉用箱。
【請求項２】
個々の前記第１袋連結部は、
前記開口部の開口縁から隔てて前記袋取り付け部材に形成され、前記樹脂袋の取手部が挿通される第１の通し孔と、
この第１の通し孔から前記開口部を囲むように相互に逆方向に延在する一対の第１スリットと、
前記開口部の開口縁から前記一対の第１スリットの終端に向けてそれぞれ形成される一対の第２スリットと
を含むことを特徴とする請求項１に記載の花卉用箱。
【請求項３】
前記一対の第１スリットの終端の間隔は、前記樹脂袋の取手部で囲まれた前記袋開口部の部分の長さに対応していることを特徴とする請求項２に記載の花卉用箱。
【請求項４】
前記第１スリットの終端と前記第２スリットの終端との間の間隔の２倍と、前記一対の第２スリットの終端の間隔との和が前記樹脂袋の取手部の長さよりも小さいことを特徴とする請求項２または請求項３に記載の花卉用箱。
【請求項５】
前記第１スリットの終端および前記第２スリットの終端には丸孔がそれぞれ形成されていることを特徴とする請求項２から請求項４の何れか一項に記載の花卉用箱。
【請求項６】
前記袋取り付け部材は、前記一対の第１袋連結部の対向方向に対して直交状態で対向し、かつ前記樹脂袋の袋開口部に形成されて前記一対の取手部の間に位置する一対の舌片部を取り外し可能に連結するための一対の第２袋連結部をさらに有することを特徴とする請求項１から請求項５の何れか一項に記載の花卉用箱。
【請求項７】
個々の前記第２袋連結部は、
前記開口部の開口縁から隔てて前記袋取り付け部材に形成され、前記樹脂袋の舌片部が挿通される第２の通し孔と、
前記開口部の開口縁から前記第２の通し孔に向けて形成される第３スリットと
を含むことを特徴とする請求項６に記載の花卉用箱。
【請求項８】
前記第２の通し孔と前記第３スリットの終端との間隔は、前記樹脂袋の舌片部の長さよりも短いことを特徴とする請求項７に記載の花卉用箱。
【請求項９】
前記第２の通し孔は、前記第３スリットに向けて延在する第４スリットを含むことを特徴とする請求項７または請求項８に記載の花卉用箱。
【発明の詳細な説明】
【技術分野】
【０００１】
本発明は、束状の切り花を立てた状態で収容して搬送するための花卉用箱に関する。
【背景技術】
【０００２】
束状の切り花を収容して輸送するための段ボール製の花卉用箱が特許文献１などで知られている。この特許文献１に開示された花卉用箱は、切り花を切る前の状態、すなわち束状の切り花を立てた状態で収容し、切り花の傷みを抑制すると共にその鮮度をできるだけ長く維持できるようにしている。より詳細には、花卉用箱の下部に中仕切り状の鍔板部材を取り付け、この鍔板部材の中央部に形成された開口部を取り囲むように、接着剤を用いて水袋の開口端部を固定している。そして、水袋内に適量の水を注入した後、束状の切り花の茎部の切り口部分を鍔板部材の開口部から、あらかじめ水が注入された水袋内へと落とし込み、束状の切り花を花卉用箱内に収容させるようにしている。
【先行技術文献】
【特許文献】
【０００３】
【特許文献１】特開２０１２−４６１９６号公報
【発明の概要】
【発明が解決しようとする課題】
【０００４】
特許文献１に開示された従来の花卉用箱においては、段ボール箱の製造業者が樹脂製の水袋をあらかじめ鍔板部材に接合した状態で花卉用箱を製造する必要があるため、製函設備とは異なる樹脂接合設備を取り入れなければらない。このための設備投資が必要な上に花卉用箱の製造コストが嵩んでしまう欠点があった。
【０００５】
本発明の目的は、このような従来技術の欠点を克服し、鍔板部材に対して水袋を取り外し可能に連結することにより、鍔板部材に対して水袋を接合する必要のない花卉用箱を提供することにある。
【課題を解決するための手段】
【０００６】
本発明は、組み立て状態において直方体形状をなし、切り花が立てた状態で収容される花卉用箱であって、この花卉用箱の下部に当該花卉用箱の底面部と平行に配されるように、該花卉用箱の隣接する少なくとも２つの側面部の内側に接合され、中央部に前記切り花の茎部が挿通される開口部を形成した袋取り付け部材を具え、この袋取り付け部材は、その開口部を間に挟んで対向し、かつ前記切り花の茎部の根元部分を収容する液不透過性の樹脂袋の袋開口部に形成された一対の取手部を取り外し可能に連結するための一対の第１袋連結部を有することを特徴とするものである。
【０００７】
本発明においては、袋取り付け部材の一対の第１袋連結部に樹脂袋の一対の取手部が連結され、樹脂袋の袋開口部が袋取り付け部材の開口部に近接した状態に保持される。樹脂袋内には所定量の水などが注入され、切り花の茎部の根元の切り口が袋取り付け部材の開口部から樹脂袋内に差し込まれた状態にて花卉用箱が搬送される。
【０００８】
本発明による花卉用箱において、個々の第１袋連結部は、開口部の開口縁から隔てて袋取り付け部材に形成され、樹脂袋の取手部が挿通される第１の通し孔と、この第１の通し孔から開口部を囲むように相互に逆方向に延在する一対の第１スリットと、開口部の開口縁から一対の第１スリットの終端に向けてそれぞれ形成される一対の第２スリットとを含むことができる。この場合、一対の第１スリットの終端の間隔は、樹脂袋の取手部で囲まれた袋開口部の部分の長さに対応していることが好ましい。また、第１スリットの終端と第２スリットの終端との間の間隔の２倍と、一対の第２スリットの終端の間隔との和が樹脂袋の取手部の長さよりも小さいことが好ましい。さらに、第１スリットの終端および第２スリットの終端に丸孔をそれぞれ形成することができる。
【０００９】
袋取り付け部材は、一対の第１袋連結部の対向方向に対して直交状態で対向し、かつ樹脂袋の袋開口部に形成されて一対の取手部の間に位置する一対の舌片部を取り外し可能に連結するための一対の第２袋連結部をさらに有することができる。この場合、個々の第２袋連結部は、開口部の開口縁から隔てて袋取り付け部材に形成され、樹脂袋の舌片部が挿通される第２の通し孔と、開口部の開口縁から第２の通し孔に向けて形成される第３スリットとを含むことができる。また、第２の通し孔と第３スリットの終端との間隔は、樹脂袋の舌片部の長さよりも短いことが好ましい。さらに、第２の通し孔は、第３スリットに向けて延在する第４スリットを含むことができる。
【発明の効果】
【００１０】
本発明の花卉用箱によると、樹脂袋として、少なくとも取手部を有する高密度ポリエチレン製の市販のレジ袋やＵバックあるいはサービスバックなどと呼称されるまち付き袋を袋取り付け部材に対して接着剤などを用いることなく取り付けることができる。このため、従来のものよりも低コストにて花卉用箱を供給することができ、開梱後の段ボールの再生のための処理を従来のものよりも簡便に行うことが可能となる。
【００１１】
個々の第１袋連結部が一対の第１および第２スリットを含む場合、第１スリットおよび第２スリットに樹脂袋の取手部を差し込むことにより、この樹脂袋の袋開口部の４カ所を袋取り付け部材に対し安定して吊り下げることができる。
【００１２】
一対の第１スリットの終端の間隔を樹脂袋の取手部で囲まれた袋開口部の部分の長さに対応させた場合、樹脂袋の袋開口部を袋取り付け部材に近接させることができ、樹脂袋内の水が開口部から花卉用箱内に漏出しにくくなる。
【００１３】
第１スリットの終端と第２スリットの終端との間の間隔の２倍と、一対の第２スリットの終端の間隔との和が樹脂袋の取手部の長さよりも小さい場合、取手部を確実に第１袋連結部に取り付けることができる。
【００１４】
第１スリットの終端および第２スリットの終端に丸孔を形成した場合、取手部をこれらの丸孔内に保持することができ、第１スリットや第２スリットから取手部を外れにくくすることが可能となる。しかも、樹脂袋を袋取り付け部材に装着する際に樹脂袋の取手部と袋取り付け部材の袋連結部との間の摩擦を小さくすることができ、この装着作業を円滑に行うことが可能となる。
【００１５】
袋取り付け部材が一対の第２袋連結部をさらに有する場合、袋開口部の６ヶ所を袋取り付け部材に連結できるため、樹脂袋をより確実に袋取り付け部材に吊り下げることができる。
【００１６】
個々の第２袋連結部が第２の通し孔と、第３スリットとを含む場合、樹脂袋の舌片部を迅速かつ容易に袋取り付け部材に連結することができる。
【００１７】
第２の通し孔と第３スリットの終端との間隔を樹脂袋の舌片部の長さよりも短くすることにより、樹脂袋の舌片部を確実に第２袋連結部に取り付けることができる。
【００１８】
第２の通し孔が第３スリットに向けて延在する第４スリットを含む場合、舌片部をさらに第２袋連結部から外れにくくすることが可能となる。
【図面の簡単な説明】
【００１９】
【図１】本発明による花卉用箱の一実施形態における開梱状態の一例を示す立体投影図である。
【図２】図１に示した実施形態において、図１に先立つ開梱状態を表す立体投影図であり、花束を省略している。
【図３】図１に示す実施形態において、梱包状態の外観を示す立体投影図である。
【図４】図１に示す実施形態において、梱包状態の縦断面図である。
【図５】図１に示す実施形態において、梱包状態の外観を底面部側から見た立体投影図である。
【図６】図１に示す実施形態における袋取り付け部材の外観を樹脂袋と共に表す立体投影図である。
【図７】図１に示す実施形態において、袋取り付け部材を取り付ける前の箱本体の展開図である。
【発明を実施するための形態】
【００２０】
本発明による花卉用箱の一実施形態について、図１〜図７を参照しながら詳細に説明するが、本発明はこれに限定されない。花卉用箱としての整合性を満たす限り、あらゆる修正や変更が可能である。
【００２１】
本発明による花卉用箱の一実施形態における開梱状態の外観を図１に示し、この図１に先立つ開梱状態の外観を図２に示す。また、梱包状態の外観を図３に示し、その縦断面構造を図４に示し、底面部側からの梱包状態の外観を図５に示す。さらに、袋取り付け部材の外観を樹脂袋と共に図６に示し、この袋取り付け部材を取り付ける前の箱本体の展開形状を図７に示す。
【００２２】
束状の切り花Ｗが立てた状態で収容される本実施形態の花卉用箱１０は、組み立て状態において直方体形状をなし、図７に示す如き箱本体２０と、図６に示す如き袋取り付け部材３０とからなり、両面段ボールから製造されるが、これに限定されない。水を取り扱うため、防水段ボール箱とすることがより好ましいと言えるが、これも必須ではない。
【００２３】
袋取り付け部材３０には、束状の切り花Ｗの茎部Ｗｓの根元部分を収容するための樹脂袋Ｂが取り外し可能に装着される。本実施形態では、この樹脂袋Ｂとして一対の取手部Ｂｈと一対の取手部Ｂｈの中間に位置する一対の舌片部Ｂｆとを袋開口部Ｂｏに有する市販の樹脂袋Ｂを用いており、これはレジ袋やサービスバックなどと一般的に呼称されているものと同じであってよい。この液不透過性の樹脂袋Ｂ内には１００ｃｃ程度の水が注入され、さらに必要に応じて切り花活性剤や切り花延命剤などを添加したり、あるいは浅鉢形状に成形された可撓性の連続気泡体を樹脂袋Ｂの中に入れたりしておくことも可能である。
【００２４】
箱本体２０は、束状の切り花Ｗを出し入れするための前面部２１Ｕ，２１Ｄと、この前面部２１Ｕ，２１Ｄの反対側に位置する背面部２２と、これら前面部２１Ｕ，２１Ｄと背面部２２とをつなぐ左右一対の側面部２３Ｌ，２３Ｒとを有する。また、これら前面部２１Ｕ，２１Ｄおよび背面部２２および左右一対の側面部２３Ｌ，２３Ｒの上下両端にてつながる天面部２４および底面部２５をさらに有する。
【００２５】
天面部２４は、側面部２３Ｌ，２３Ｒの上端からそれぞれ延在する左右一対の内フラップ２４Ｌ，２４Ｒと、花卉用箱１０の前面部２１Ｕおよび背面部２２の上端からそれぞれ延在する前後一対の外フラップ２４Ｆ，２４Ｂとで構成されるが、これに限定されない。梱包時には一対の外フラップ２４Ｆ，２４Ｂを跨ぐように梱包テープＴが貼付され、さらに必要に応じてこの梱包テープＴの端部を左右一対の側面部２３Ｌ，２３Ｒに接合させることも可能である。本実施形態における底面部２５は、周知のボトムロック形式、すなわちアメリカンロック式である。すなわち、左側面部２３Ｌの下端から延在する受けフラップ２５Ｌと、前面部２１Ｄおよび背面部２２の下端からそれぞれ延在する一対の係止フラップ２５Ｆ，２５Ｂと、右側面部２３Ｒの下端から延在する押し込みフラップ２５Ｒとからなるが、これに限定されない。
【００２６】
前面部２１Ｕ，２１Ｄは、第１縦罫線２０ａを介して左側面部２３Ｌにつながり、この左側面部２３Ｌは第１縦罫線２０ａと平行な第２縦罫線２０ｂを介して背面部２２につながっている。また、背面部２２は第１および第２縦罫線２０ａ，２０ｂと平行な第３縦罫線２０ｃを介して右側面部２３Ｒにつながり、右側面部２３Ｒには、第１〜第３縦罫線２０ａ〜２０ｃと平行な第４縦罫線２０ｄを介してつぎしろ２６Ｕ，２６Ｄが接続している。一方、前面部２１Ｕ，２１Ｄには、第１縦罫線２０ａと直交する上下一対の第１横罫線２０ｅ，２０ｆを介して前外フラップ２４Ｆおよび一方の係止フラップ２５Ｆがつながっている。また、左側面部２３Ｌには第１および第２縦罫線２０ａ，２０ｂと直交する上下一対の第２横罫線２０ｇ，２０ｈを介して左内フラップ２４Ｌおよび受けフラップ２５Ｌがつながっている。さらに、背面部２２には、第２および第３縦罫線２０ｂ，２０ｃと直交する上下一対の第３横罫線２０ｉ，２０ｊを介して後外フラップ２４Ｂおよび他方の係止フラップ２５Ｂがつながっている。最後に、右側面部２３Ｒには第３および第４縦罫線２０ｃ，２０ｄと直交する一対の第４横罫線２０ｋ，２０ｌを介して右内フラップ２４Ｒおよび押し込みフラップ２５Ｒがつながっている。
【００２７】
本実施形態における前面部２１Ｕ，２１Ｄおよびつぎしろ２６Ｕ，２６Ｄには、下側の横罫線２０ｆ，２０ｈ，２０ｊ，２０ｌと平行にスリット２７，２８がこれらの全域に亙ってそれぞれ形成されている。これらのスリット２７，２８の位置は、花卉用箱１０の下部に位置するように、より好ましくは使用すべき樹脂袋Ｂの深さに対応させて天面部２４よりも底面部２５に近づけて配される。スリット２８よりも下側のつぎしろ２６Ｄの部分は、接着剤などを介して第１縦罫線２０ａと反対側の前面部２１Ｕ，２１Ｄの側端縁部（図７中、斜線で示した領域）に接合される。スリット２７よりも上側の前面部２１Ｕの部分は、第１縦罫線２０ａを中心として開閉することができるようになっている。さらに本実施形態においては、左側面部２３Ｌと背面部２２と天面部２４との交点から、前面部２１Ｕ，２１Ｄに形成されたスリット２７と第１縦罫線２０ａとの交点に至る傾斜罫線２０ｍを左側面部２３Ｌに形成している。つまり、この傾斜罫線２０ｍを旋回軸として前面部２１Ｕおよび左側面部２３Ｌの一部を図１に示すように大きく開くことができるので、花卉用箱１０の開梱後に束状の切り花Ｗを取り出し作業を容易に行うことができ、逆もまた同様である。
【００２８】
束状の切り花Ｗの茎部Ｗｓが挿通される円形の開口部３１を中央部に形成した本実施形態における袋取り付け部材３０は、ほぼ正方形状（より正確には、正方形の四隅をそれぞれ切り欠いた八角形状）をなすがこれに限定されない。この袋取り付け部材３０の隣接する２辺からそれぞれ延在するつぎしろ３２Ｆ，３２Ｌが図７に砂目で示した相互に隣接する前面部２１Ｄおよび左側面部２３Ｌに形成された接合領域に接着剤を介して接合され、箱本体２０と袋取り付け部材３０とが一体化される。つまり、上述した箱本体２０の前面部２１Ｄおよび左側面部２３Ｌが本発明における花卉用箱の隣接する少なくとも２つの側面部に対応する。これらの接合部は、花卉用箱１０の外側ではなく、内側になることは言うまでもない。前面部２１Ｕに対して非接合状態にあるつぎしろ２６Ｕには、梱包時に前面部２１Ｕの右側端縁部が重ね合わされ、梱包テープＴが前面部２１Ｕの右側端縁部と右側面部２３Ｒの前端縁部分とに跨がって貼付される。袋取り付け部材３０には、つぎしろ３２Ｆ，３２Ｌが形成された隣接する２辺の交点から対角方向に延在する折り畳み罫線３０ａが形成されている。これにより、箱本体２０を、その第２縦罫線２０ｂと第４縦罫線２０ｄとが重なり合うように折り畳んだ場合、箱本体２０に接合された袋取り付け部材３０もこれと同時に折り畳まれることとなる。従って、使用前の花卉用箱１０を前述のように折り畳んだ状態でコンパクトに積み重ねて保管および輸送することが可能である。
【００２９】
この袋取り付け部材３０は、樹脂袋Ｂの袋開口部Ｂｏにそれぞれ形成された一対の取手部Ｂｈおよび一対の舌片部Ｂｆをそれぞれ取り外し可能に連結するための一対の第１および第２袋連結部３３，３４を有する。樹脂袋Ｂの袋開口部Ｂｏに形成された一対の舌片部Ｂｆは、樹脂袋Ｂのまちの部分Ｂｂを跨ぐようにそれぞれ形成された一対の取手部Ｂｈの中間位置にある。一対の第１および第２袋連結部３３，３４は、袋取り付け部材３０の開口部３１を挟んでそれぞれ対向する。本実施形態では、一対の第１袋連結部３３が花卉用箱１０の左右方向に対向し、一対の第２袋連結部３４がこれと直交する花卉用箱１０の前後方向に対向しているが、これに限定されない。
【００３０】
個々の第１袋連結部３３は、樹脂袋Ｂの取手部Ｂｈが挿通される第１の通し孔３３ａと、この第１の通し孔３３ａに連通する一対の第１スリット３３ｂと、開口部３１の開口縁からその径方向外側に向けて形成された一対の第２スリット３３ｄとを含む。第１の通し孔３３ａは、開口部３１の開口縁から隔てて袋取り付け部材３０に形成され、一対の第１スリット３３ｂは、この第１の通し孔３３ａから開口部３１を囲むように相互に逆方向に円弧状に延在する。また、一対の第２スリット３３ｄが開口部３１の開口縁から一対の第１スリット３３ｂの終端に向けてそれぞれ形成されている。これら第１スリット３３ｂの終端および第２スリット３３ｄの終端には、丸孔３３ｃ，３３ｅがそれぞれ形成され、これら丸孔３３ｃ，３３ｅ内に導かれた取手部Ｂｈおよび舌片部Ｂｆを丸孔３３ｃ，３３ｅから抜け出にくくなるように配慮している。
【００３１】
個々の第２袋連結部３４は、開口部３１の開口縁から隔てて袋取り付け部材３０に形成され、樹脂袋Ｂの舌片部Ｂｆが挿通される第２の通し孔３４ａと、開口部３１の開口縁から第２の通し孔３４ａに向けて形成される第３スリット３４ｃとを含む。第２の通し孔３４ａは、第３スリット３４ｃに向けて延在する第４スリット３４ｂを含む。
【００３２】
第２スリット３３ｄおよび第４スリット３４ｂの開口部３１の開口縁側には、この開口部３１の開口縁側ほど幅が拡がるＶ字形の導入案内部３５がそれぞれ形成されている。これにより、樹脂袋Ｂの取手部Ｂｈおよび舌片部Ｂｆを容易かつ迅速に第２および第３スリット３３ｄ，３４ｃに差し込むことができる。
【００３３】
本実施形態では一対の第１スリット３３ｂの終端、すなわち丸孔３３ｃの間隔が樹脂袋Ｂの取手部Ｂｈで囲まれた開口部３１の部分の長さとほぼ対応するように設定している。これにより、樹脂袋Ｂの袋開口部Ｂｏをたるませることなく、袋取り付け部材３０に近接させることができ、樹脂袋Ｂに注入された水をその袋開口部Ｂｏから漏れにくくすることが可能となる。また、本実施形態では第１スリット３３ｂの終端と第２スリット３３ｄの終端、すなわち丸孔３３ｅとの間の間隔の２倍と、一対の第２スリット３３ｄの終端の間隔との和を樹脂袋Ｂの取手部Ｂｈの長さよりも小さく設定している。これにより、樹脂袋Ｂの取手部Ｂｈを確実に第１袋連結部３３，３４に装着することができる。しかも、樹脂袋Ｂの袋開口部Ｂｏをたるませることなく、袋取り付け部材３０に近接させ、樹脂袋Ｂに注入された水がその袋開口部Ｂｏから漏れにくくなるようにすることが可能である。さらに、第２の通し孔３４ａと第３スリット３４ｃの終端との間隔を樹脂袋Ｂの舌片部Ｂｆの長さよりも短く設定しており、これによって樹脂袋Ｂの舌片部Ｂｆを確実に第２袋連結部３４に装着可能である。
【００３４】
本実施形態における花卉用箱１０の袋取り付け部材３０に樹脂袋Ｂを取り付ける場合、まず底面部２５を組み立てて花卉用箱１０を図２に示すような状態にする。そして、樹脂袋Ｂを袋取り付け部材３０の開口部３１から花卉用箱１０の底面部２５側に入れ、その取手部Ｂｈを第１袋連結部３３の第１の通し孔３３ａに下から上へと挿通させる。次いで、袋取り付け部材３０の上で取手部Ｂｈを拡げるようにその両側を第１スリット３３ｂの終端の丸孔３３ｃまで導き、取手部Ｂｈの先端側を一対の第２スリット３３ｄに上から下へと差し込み、これらの終端の丸孔３３ｅまで導く。この状態では、取手部Ｂｈの先端側が袋取り付け部材３０の下側に導かれることとなり、これによって樹脂袋Ｂが下方に引っ張られた場合であっても、第１袋連結部３３から樹脂袋Ｂの取手部Ｂｈが抜け外れるようなことは起こらない。
【００３５】
一方で、樹脂袋Ｂの舌片部Ｂｆを第２袋連結部３４の第２の通し孔３４ａに下から上へと挿通させ、袋取り付け部材３０の上にある舌片部Ｂｆの先端側を第３スリット３４ｃに袋取り付け部材３０の上から下へと差し込んで強く押し下げる。これにより、舌片部Ｂｆの基端側が第２の通し孔３４ａから第４スリット３４ｂへと誘導され、最終的に舌片部Ｂｆは第４スリット３４ｂと第３スリット３４ｃとに挾持された状態なる。
【００３６】
その後、図２に示す状態にて袋取り付け部材３０の開口部３１から所定量の水などを注入する。そして、束状の切り花Ｗの茎部Ｗｓの根元部分を袋取り付け部材３０の開口部３１から樹脂袋Ｂ内に落とし込み、図３に示すように梱包テープＴを用いて花卉用箱１０の天面部２４および前面部２１Ｕを塞ぎ、出荷状態とする。開梱する場合にはこれと逆の手順で行えばよいが、図１に示すように、傾斜罫線２０ｍにて左側面部２３Ｌを折り曲げることにより、前面部２１Ｕを大きく拡げて束状の切り花Ｗを花卉用箱１０から取り出すことができることは、先にも述べた通りである。
【００３７】
なお、本発明はその特許請求の範囲に記載された事項のみから解釈されるべきものであり、上述した実施形態においても、本発明の概念に包含されるあらゆる変更や修正が記載した事項以外に可能である。つまり、上述した実施形態におけるすべての事項は、本発明を限定するためのものではなく、本発明とは直接的に関係のない構成を含め、その用途や目的などに応じて任意に変更し得るものである。
【符号の説明】
【００３８】
１０  花卉用箱
２１Ｕ，２１Ｄ  前面部
２３Ｌ，２３Ｒ  側面部
２５  底面部
３０  袋取り付け部材
３１  開口部
３３  第１袋連結部
３３ａ  第１の通し孔
３３ｂ  第１スリット
３３ｃ  丸孔
３３ｄ  第２スリット
３３ｅ  丸孔
３４  第２袋連結部
３４ａ  第２の通し孔
３４ｂ  第４スリット
３４ｃ  第３スリット
Ｗ  切り花
Ｗｓ  切り花の茎部
Ｂ  樹脂袋
Ｂｈ  取手部
Ｂｆ  舌片部
Ｂｏ  袋開口部
【図１】
2018188173.tif 000003
【図２】
2018188173.tif 000004
【図３】
2018188173.tif 000005
【図４】
2018188173.tif 000006
【図５】
2018188173.tif 000007
【図６】
2018188173.tif 000008
【図７】
2018188173.tif 000009